(57)【要約】【課題】エアー供給装置の点検・修理作業時において曝気槽内の水抜きを行なう必要がなく、作業を簡単に効率良く行なえるようにした排水処理設備における曝気槽のエアー供給装置を提供する。【解決手段】排水処理設備における曝気槽１の上側にはブロワ２に繋がる散気管３が曝気槽１の幅方向適当間隔おきに複数本互いに平行に並んで設けられており、各散気管３にはその長さ方向適当間隔おきに下向きに分岐接続管４が連通接続され、この各分岐接続管４に曝気槽１内における底部近くに沈むように位置するエアーレーター５が立ち上がり管６を介して取り付けられており、ブロワ２と散気管３との間および分岐接続管４と立ち上がり管６との間の少なくとも一方を脱着自在とした。【選択図】図１
0003136579.tif 000002
【実用新案登録請求の範囲】
【請求項１】
排水処理設備における曝気槽の上側にはブロワに繋がる散気管が曝気槽の幅方向適当間隔おきに複数本互いに平行に並んで設けられており、各散気管にはその長さ方向適当間隔おきに下向きに分岐接続管が連通接続され、この各分岐接続管に曝気槽内における底部近くに沈むように位置するエアーレーターが立ち上がり管を介して取り付けられており、ブロワと散気管との間および分岐接続管と立ち上がり管との間の少なくとも一方を脱着自在としたことを特徴とする排水処理設備における曝気槽のエアー供給装置。    
【請求項２】
散気管に下向きに設けられた分岐接続管に立ち上がり管の上端が接続され、この立ち上がり管の下端に左右にほぼ水平に張り出すように枝管が設けられ、この枝管の先端は上に向いてエアーを上向きに吐出するように構成され、この枝管の上向きの先端にエアーレーターの下端が位置するようにエアーレーターが前記立ち上がり管の下端近傍に取り付け金具により取り付けられていることを特徴とする請求項１記載の排水処理設備における曝気槽のエアー供給装置。
【請求項３】
各散気管の他端側には散気管の他端側を開閉するバルブが設けられていることを特徴とする請求項１または２記載の排水処理設備における曝気槽のエアー供給装置。
【考案の詳細な説明】
【技術分野】
【０００１】
本考案は、排水処理設備における曝気槽のエアー供給装置に関するものである。
【背景技術】
【０００２】
従来の排水処理設備における曝気槽のエアー供給装置に使用される散気管は、特許文献１に開示されているように、その長さ方向の適当間隔おきに形成されたノズル孔に短管を取り付けたものが知られている。
【０００３】
この特許文献１に開示されているものは、散気管のノズル孔が上向きに形成され、このノズル孔に短管を取り付けてなるものであり、曝気槽の下端に取り付けられるものである。
【特許文献１】特開平１０−３０９５９７号公報
【考案の開示】
【考案が解決しようとする課題】
【０００４】
上記特許文献１に開示されているものでは散気管に形成された多数のノズル孔に短管を取り付けてエアー供給装置を構成しており、万が一１部のノズル部が不調を起こした場合などの点検・修理時において曝気槽の下端から多数のノズル部を備えた散気管を取り外さなければならず、その場合曝気槽内の水抜きを行なった状態で散気管の取り外しを行なう必要があり、作業に手間がかかるという問題があった。
【０００５】
本考案の目的は、このような課題を解決するものであり、エアー供給装置の点検・修理作業時において曝気槽内の水抜きを行なう必要がなく、作業を簡単に効率良く行なえるようにした排水処理設備における曝気槽のエアー供給装置を提供することにある。
【課題を解決するための手段】
【０００６】
本考案の請求項１に記載の排水処理設備における曝気槽のエアー供給装置は、排水処理設備における曝気槽の上側にはブロワに繋がる散気管が曝気槽の幅方向適当間隔おきに複数本互いに平行に並んで設けられており、各散気管にはその長さ方向適当間隔おきに下向きに分岐接続管が連通接続され、この各分岐接続管に曝気槽内における底部近くに沈むように位置するエアーレーターが立ち上がり管を介して取り付けられており、ブロワと散気管との間および分岐接続管と立ち上がり管との間の少なくとも一方を脱着自在としたことを特徴とする。
【０００７】
請求項２に記載の排水処理設備における曝気槽のエアー供給装置は、散気管に下向きに設けられた分岐接続管に立ち上がり管の上端が接続され、この立ち上がり管の下端に左右にほぼ水平に張り出すように枝管が設けられ、この枝管の先端は上に向いてエアーを上向きに吐出するように構成され、この枝管の上向きの先端にエアーレーターの下端が位置するようにエアーレーターが前記立ち上がり管の下端近傍に取り付け金具により取り付けられていることを特徴とする。
【０００８】
請求項３に記載の排水処理設備における曝気槽のエアー供給装置は、各散気管の他端側には散気管の他端側を開閉するバルブが設けられていることを特徴とする。
【考案の効果】
【０００９】
以上のように、本考案の排水処理設備における曝気槽のエアー供給装置は、エアーレーターが不調を起こして点検・修理の必要が生じたときは、散気管を曝気槽の上端から取り外して散気管と多数のエアーレーターを一体に曝気槽から持ち上げて点検・修理を行なうことができ、あるいは不調箇所が分かっているときはそのエアーレーターを吊り下げる立ち上がり管を散気管から取り外して曝気槽から持ち上げ、点検・修理を行なうことができ、前記従来のようにエアー供給装置の点検・修理作業時において曝気槽内の水抜きを行なう必要がなく、作業を簡単に効率良く行なうことができる。
【００１０】
また、散気管に繋がる１本の立ち上がり管に対し、２つのエアーレーターが取り付けられているので、散気管に繋がる配管（立ち上がり管）の本数を減らすことができ、さらには１本の立ち上がり管に対し両側にそれぞれエアーレーターが取り付けられることにより重量バランスが良くなる。
【００１１】
さらに、夜間などにおいて運転を止めた状態にしておくと曝気槽内の浮遊物が沈降し、エアーレーターの内部に付着しようとするが、運転を再開するときは前記各散気管の他端側のバルブを瞬時に開いてエアーレーターからエアーを勢い良く吐出させるようにして、エアーレーターに付着する付着物をエアーレーターから除去することができる。
【考案を実施するための最良の形態】
【００１２】
以下、本考案の一実施の形態を、図１〜図４を用いて具体的に説明する。
図において、１は排水処理設備における曝気槽で、この曝気槽１の上側にはブロワ２に繋がる散気管３が曝気槽１の幅方向適当間隔おきに複数本互いに平行に並んで設けられており、各散気管３にはその長さ方向適当間隔おきに下向きに分岐接続管４が連通接続され、この各分岐接続管４に曝気槽１内における底部近くに沈むように位置するエアーレーター５が取り付けられている。
【００１３】
前記エアーレーター５の取り付け部について詳細に説明すると、散気管３に下向きに設けられた分岐接続管４に立ち上がり管６の上端が接続され、この立ち上がり管６の下端に左右にほぼ水平に張り出すように枝管７が設けられ、この枝管７の先端は上に向いてエアーを上向きに吐出するように構成され、この枝管７の上向きの先端にエアーレーター５の下端が位置するようにエアーレーター５が前記立ち上がり管６の下端近傍に取り付け金具８により取り付けられている。ところでエアーレーター５は枝管７の先端から吐出されるエアーを撹拌し上端より泡状に吐出する構成（図示せず）となっており、曝気槽１内でバクテリアが生存するのに必要な溶存酸素を泡状に吐出するエアーの形で水中に送り込むようになっている。
【００１４】
なお、前記分岐接続管４の下端に対し立ち上がり管６の上端は脱着自在となっている。また、前記各散気管３は曝気槽１の上端で脱着自在に支持されている。また、各散気管３の一端とブロワ２との間は脱着自在となっているとともに、各散気管３の一端とブロワ２との間には流量調整弁（図示せず）が設けられ、各散気管３毎にエアーの送り込み流量を調整できるようになっている。さらに、各散気管３の他端は開閉できるようにバルブ９が設けられる。
【００１５】
上記構成において、曝気槽１にエアーレーター５から泡状にエアーを吐出させる場合は、前記流量調整弁を調整した状態でブロワ２を運転させる。そのとき、前記各散気管３の他端は閉じられた状態にしておく。このようにして曝気槽１にエアーを送り込むのであるが、夜間などにおいて運転を止めた状態にしておくと曝気槽１内の浮遊物が沈降し、エアーレーター５の内部に付着しようとする。そこで、運転を再開するときは前記各散気管３の他端側のバルブ９を瞬時に開いてエアーレーター５からエアーを勢い良く吐出させるようにして、エアーレーター５に付着する付着物をエアーレーター５から除去することができる。なお、エアーレーター５が不調を起こして点検・修理の必要が生じたときは、散気管３を曝気槽１の上端から取り外して散気管３と多数のエアーレーター５を一体に曝気槽１から持ち上げて点検・修理を行なえば良く、あるいは不調箇所が分かっているときはそのエアーレーター５を吊り下げる立ち上がり管６を散気管３から取り外して曝気槽１から持ち上げ、点検・修理を行なえば良い。
【００１６】
ところで、本実施の形態では散気管３に繋がる１本の立ち上がり管６に対し、２つのエアーレーター５が取り付けられているので、散気管３に繋がる配管（立ち上がり管６）の本数を減らすことができ、さらには１本の立ち上がり管６に対し両側にそれぞれエアーレーター５が取り付けられることにより重量バランスが良くなる。
【図面の簡単な説明】
【００１７】
【図１】本考案の一実施の形態における排水処理設備における曝気槽のエアー供給装置を示す側面図である。
【図２】同排水処理設備における曝気槽のエアー供給装置を示す平面図である。
【図３】同排水処理設備における曝気槽のエアー供給装置に使用されるエアーレーター取り付け部を示す拡大側面図である。
【図４】同排水処理設備における曝気槽のエアー供給装置に使用されるエアーレーター取り付け部を示す拡大平面図である。
【符号の説明】
【００１８】
１    曝気槽
２    ブロワ
３    散気管
４    分岐接続管
５    エアーレーター
６    立ち上がり管
７    枝管
８    取り付け金具
９    バルブ
【図１】
0003136579.tif 000003
【図２】
0003136579.tif 000004
【図３】
0003136579.tif 000005
【図４】
0003136579.tif 000006